(57)【要約】【課題】測距開始タイミングを早め、合焦完了までの時間を短縮可能なるクイックリターンミラー装置を有し、高速連写も可能であるカメラを提供すること。【解決手段】一眼レフカメラ１は、撮像光学系の光路上に入るダウン位置と退避するアップ位置との間を往復するクイックリターンミラー１６を備えたミラー枠１５と、ミラー枠１５がアップ位置からダウン位置に復帰するとき、ダウン位置近傍でミラー枠１５と衝突し、ダウン位置における停止位置を規制するストッパ４ａと、ミラー枠１５に付設され、ミラー枠１５がダウン位置にあるときに上記クイックリターンミラーを透過する被写体光束の一部を焦点調節用測距素子に導くサブミラーを備えたサブミラー枠１７と、上記衝突の際に上記サブミラー枠１７と接触して当該衝突の振動に起因して生ずる上記サブミラーの角度のずれを規制するＵ溝４ｆ，４ｇとを具備する。【選択図】図３
2010169960.tif 000002
【特許請求の範囲】
【請求項１】
撮像光学系の光路上に入る第一の位置と、上記撮像光学系の光路上から退避する第二の位置との間を往復するクイックリターンミラーを備えたメインミラー部と、
上記メインミラー部が上記第二の位置から上記第一の位置に復帰するとき、上記第一の位置近傍で上記メインミラー部の少なくとも一部と衝突し、上記メインミラー部の上記第一の位置における停止位置を規制する停止位置規制手段と、
上記メインミラー部に付設されるとともに、上記メインミラー部が上記第一の位置に停止ししているときに上記クイックリターンミラーを透過する上記撮像光学系からの被写体光束の一部を焦点調節用測距素子に導くサブミラーを備えたサブミラー部と、
上記衝突の際に上記サブミラー部と接触して当該衝突の振動に起因して生ずる上記焦点調節用測距素子に対する上記サブミラーの角度のずれを規制する角度規制部材と、
を具備することを特徴とするカメラ。
【請求項２】
上記サブミラー部は、回動軸により回動可能であって、上記回動軸が上記メインミラー部に係合していることを特徴とする請求項１に記載のカメラ。
【請求項３】
上記角度規制部材は、上記サブミラー部の上記回動軸の近傍と、当該サブミラー部がとる回動軌跡の外周円近傍とにそれぞれ配置されていることを特徴とする請求項２に記載のカメラ。
【請求項４】
上記サブミラー部は、複数の方向への移動自由度を持たせて付設されていることを特徴とする請求項１に記載のカメラ。
【発明の詳細な説明】
【技術分野】
【０００１】
本発明は、撮像光学系の光路に配されるクイックリターンミラーを備えたメインミラー部とサブミラーを備えた焦点調節用測距素子に被写体光束を導くためのサブミラー部とを備えたカメラに関する。
【背景技術】
【０００２】
従来、撮像光学系の光路への進入位置と該光路からの退避位置に回動可能なクイックリターンミラーであるメインミラーおよび該ミラーに付設され、焦点調節用測距素子に被写体光束を導くためのサブミラーを備えたカメラ、例えば、一眼レフレックスカメラにおいては、上記クイックリターンミラーは、バネの付勢力により上記退避位置から進入位置へ回動駆動される。進入位置で位置決め部材と衝突し、バウンドが生じる。バウンドが生じている間は、上記メインミラーに付設されているサブミラーもバウンド状態にあり、バウンド期間中は焦点検出ができず、合焦動作の開始が遅れることになる。
【０００３】
そこで、従来の一眼レフレックスカメラに対するメインミラーのバウンド対策で一般的に用いられている方法の１つとして、メインミラーおよびサブミラーの衝突時の運動エネルギを別体の可動慣性体で吸収し、バウンド量を減少させる方法がある。例えば、特許文献１に開示されたミラーバウンド防止装置は、この方法を採用している。
【先行技術文献】
【特許文献】
【０００４】
【特許文献１】特開平０９−２７４２４９号
【発明の開示】
【発明が解決しようとする課題】
【０００５】
上述したミラーの衝突時の運動エネルギを別体の可動慣性体で吸収するミラーバウンド防止装置は、上記可動慣性体を設けるために構造が複雑になり、小型化も難しくなる。さらに、運動エネルギを上記可動慣性体で吸収したとしてもサブミラーの振動が収まるまでは測距素子ヘの光路はぶれており、測距を間始することができない。従って、合焦動作を開始するまでに長い時間を要する。
【０００６】
図１２は、上記従来の一眼レフレックスカメラにおけるメインミラーのバウンド状態に対する測距開始、終了のタイミングを示した図である。本図に示すようにメインミラーが光路退避位置（アップ位置）にあるときの傾斜角α２から光路進入位置（ダウン位置）Ｐ１の傾斜角α１まで回動したタイミングｔａでバウンドする。該バウンド状態がなくなり、完全に静止したタイミングｔｂで測距が開始され、タイミングｔｃで合焦動作が終了する。このように従来の一眼レフレックスカメラでは、必要精度の測距を行うためには、タイミングｔａからｔｂまでの比較的長い測距待ち時間が必要であり、その結果、合焦完了が遅れる。
【０００７】
本発明は、上述の不具合を解決するためになされたものであり、測距開始タイミングを早め、合焦完了までの時間を短縮可能なるクイックリターンミラー装置を有し、高速連写も可能であるカメラを提供することを目的とする。
【課題を解決するための手段】
【０００８】
本発明の請求項１記載のカメラは、撮像光学系の光路上に入る第一の位置と、上記撮像光学系の光路上から退避する第二の位置との間を往復するクイックリターンミラーを備えたメインミラー部と、上記メインミラー部が上記第二の位置から上記第一の位置に復帰するとき、上記第一の位置近傍で上記メインミラー部の少なくとも一部と衝突し、上記メインミラー部の上記第一の位置における停止位置を規制する停止位置規制手段と、上記メインミラー部に付設されるとともに、上記メインミラー部が上記第一の位置に停止ししているときに上記クイックリターンミラーを透過する上記撮像光学系からの被写体光束の一部を焦点調節用測距素子に導くサブミラーを備えたサブミラー部と、上記衝突の際に上記サブミラー部と接触して当該衝突の振動に起因して生ずる上記焦点調節用測距素子に対する上記サブミラーの角度のずれを規制する角度規制部材とを具備する。
【０００９】
本発明の請求項２記載のカメラは、請求項１に記載のカメラにおいて、上記サブミラー部は、回動軸により回動可能であって、上記回動軸が上記メインミラー部に係合している。
【００１０】
本発明の請求項３記載のカメラは、請求項２に記載のカメラにおいて、上記角度規制部材は、上記サブミラー部の上記回動軸の近傍と、当該サブミラー部がとる回動軌跡の外周円近傍とにそれぞれ配置されている。
【００１１】
本発明の請求項４記載のカメラは、請求項１に記載のカメラおいて、上記サブミラー部は、複数の方向への移動自由度を持たせて付設されている
【発明の効果】
【００１２】
本発明によれば、測距開始タイミングを早め、合焦完了までの時間を短縮可能なクイックリターンミラー装置を有し、高速連写も可能であるカメラを提供することができる。
【発明を実施するための最良の形態】
【００１３】
以下、本発明の実施の形態を図に基づいて説明する。
【００１４】
図１は、本発明の一実施形態のカメラであるデジタル式一眼レフカメラの要部の構成を示す撮影レンズ光軸に沿った断面図である。図２は、上記一眼レフデジタルカメラのミラーボックス部を前方側からみた斜視図である。図３は、上記一眼レフカメラのミラーユニットの構成を示す斜視図であって、ミラーダウン状態を示す。図４は、上記ミラーユニット要部の模式的側面図であって、ミラーダウン状態を示す。
【００１５】
本実施形態の一眼レフカメラ１は、図１に示すようにカメラボディ２と、カメラボディ２に着脱可能な交換式のレンズ鏡筒３は、レンズ光軸を有する撮影レンズ３ａを内蔵しており、カメラボディ２に対してボディマウント１０により装着可能である。
【００１６】
カメラボディ２は、図１，２に示すようにカメラ本体部２ａ内部に配される構成部材として、前面部にボディマウント１０が配され、かつ、ミラーユニット５および測距センサユニット６を内蔵するミラーボックス４と、ミラーボックス４の後方部に配されるシャッタユニット７、および、撮像ユニット８と、ミラーボックス４の上方部に配されるファインダユニット９と、さらに、カメラ制御部および各ユニット駆動部（図示せず）を具備している。
【００１７】
なお、レンズ鏡筒３がカメラボディ２に装着された状態での撮影レンズによる被写体光束のレンズ光軸を図中、Ｏ１で示し、該レンズ光軸Ｏ１方向の被写体側をカメラボディ２の前方側とし、結像側を後方側とする。また、上記被写体光束が後述するメインミラー１６によってファインダユニット９側に反射される被写体光束の光軸をファインダ光軸Ｏ２とし、さらに、後述するサブミラー１８によって測距センサユニット６に向けて反射される被写体光束の一部の光軸を測距光軸Ｏ３とする。
【００１８】
ミラーボックス４には左右内壁面に対向した状態で後述するミラー枠１５のミラー支持軸１９の軸支部と、同様に左右内壁面に対向した状態でサブミラー枠１７の角度規制部材を構成するＵ溝４ｆと、バネ係止ピン４ｃ，４ｄが設けられている。さらに、右内壁面にミラー枠１５の停止位置規制手段としての上下ストッパ４ａ，４ｂと、右側Ｕ溝４ｆの下側にサブミラー枠の角度規制部材を構成するＵ溝４ｇと、サブミラー枠１７を回動駆動するための回動駆動ピン４ｅとが設けられている。Ｕ溝４ｆ，４ｇは、互いに平行であって、レンズ光軸Ｏ１方向および後述するダウン位置Ｐ１にあるときのサブミラー１８の反射面に対してそれぞれ所定の角度傾斜しており、また、それぞれ上端側が開放されている。
【００１９】
なお、Ｕ溝４ｆ，４ｇは、ミラー枠１５が後述するダウン位置Ｐ１、または、その近傍にあるとき、サブミラー枠１７の従動ピン１７ａ，１７ｂと係合可能な位置に配されている。言い換えると、Ｕ溝４ｆは、従動ピン１７ａの近傍に配され、Ｕ溝４ｇは、サブミラー枠１７の回動軌跡の外周円近傍であって、従動ピン１７ｂの近傍に配されている。
【００２０】
カメラボディ２に内蔵されるファインダユニット９は、焦点板１１と、ペンタプリズム１２と、接眼レンズ１３とからなり、ファインダ光学系を構成している。
【００２１】
ミラーユニット５は、ミラーボックス４の内部に回動可能に支持され、クイックリターンミラーであるメインミラー１６を上面部に備えたメインミラー部を構成するミラー枠１５と、ミラー枠１５の下面部に回動、かつ、スライド移動可能に支持され、サブミラー１８を備えたサブミラー部を構成するサブミラー枠１７とからなる。
【００２２】
ミラー枠１５は、上面側にメインミラー１６が固着されており、図３に示すようにミラーボックス４内の軸支部に嵌入しているミラー支持軸１９を介して回動可能に支持されている。そして、ミラー支持軸１９に巻回装着されるトーションバネからなるミラー付勢バネ２１によってダウン方向側に付勢され、さらに、ミラー駆動装置（図示せず）によりチャージバネ（図示せず）を介してアップ方向側に付勢される。なお、ミラー枠１５の左右端面部にメインミラー１６の反射面１６ａと平行な方向に伸びる２つのガイド溝１５ｂが対向して設けられている。
【００２３】
ミラー枠１５は、上記チャージバネをチャージする状態でミラー駆動レバー（図示せず）が一方方向に回動駆動されると、被駆動ピン（図示せず）を介してミラー付勢バネ２１の付勢力に抗して上方に向けて回動駆動され、ミラーボックス４の内壁面のストッパ４ｂに当接して上方の第二の位置であるアップ位置Ｐ２に停止する。一方、上記上記チャージバネのチャージ状態が解放され、上記ミラー駆動レバーが逆方向に回動駆動されるとミラー付勢バネ２１の付勢力によって下方（ミラーダウン方向）に向けて回動駆動され、ミラーボックス４のストッパ４ａに当接し、下方の第一の位置であるダウン位置Ｐ１に停止する。そのとき、ミラー枠１５の背面部に配されるサブミラー枠１７も後述するように上記回動動作に連動して退避位置から測距可能な測距位置に回動移動する（図３）。
【００２４】
ミラー枠１５が下方のダウン位置Ｐ１に位置した状態では、メインミラー１６がレンズ光軸Ｏ１上の被写体光束の光路内に斜設状態で位置する（図１，３）。この状態では撮影レンズ３ａを介して取り込まれた被写体光束は、メインミラー１６によって上方のファインダユニット９に向けてファインダ光軸Ｏ２に沿って反射され、ファインダ観察が可能となる。また、メインミラー１６の中央部はハーフミラー部となっており、ダウン位置Ｐ１にあるとき、上記ハーフミラー部を透過した被写体光束の一部は、ミラー枠１５の中央開口部１５ａを経て背面側に位置するサブミラー枠１７のサブミラー１８に向けて射出される。
【００２５】
サブミラー枠１７は、ミラー枠１５に対して回動、かつ、スライド移動可能に支持されており、ミラー枠１５がダウン位置Ｐ１にあるとき、上記被写体光束の一部の透過光を測距光軸Ｏ３に沿って測距センサユニット６側に反射するためのサブミラー１８がサブミラー枠１７の前面側に固着されている。
【００２６】
そして、サブミラー枠１７には、図３に示すように枠左右両側上端部に対向して貫通固着される一対の回動軸としての従動ピン１７ａと、枠右端面に突出する従動ピン１７ｂと、バネ係止ピン１７ｃと、さらに、枠右端上方部に突出して配される凹状溝１７ｄとが配されている。
【００２７】
一対の従動ピン１７ａは、それぞれ両内側に突出した部分がミラー枠１５のガイド溝１５ｂにスライド、かつ、回動可能に係合嵌入しており、また、それぞれ両外側に突出した部分は、ミラー枠１５がダウン位置Ｐ１または近傍にあるとき、ミラーボックス４のＵ溝４ｆに対してスライド、かつ、回動可能の状態で嵌入係合が可能である。さらに、従動ピン１７ｂは、ミラー枠１５がダウン位置Ｐ１または近傍にあるとき、ミラーボックス４のＵ溝４ｇにスライド、かつ、回動可能な状態で嵌入可能である。従って、サブミラー枠１７は、ミラー枠１５がダウン位置Ｐ１または近傍にあるとき、複数の方向への移動自由度をもつことになる。
【００２８】
なお、従動ピン１７ａ，１７ｂは、ミラー枠１５がダウン位置Ｐ１からアップ位置Ｐ２に向けて回動移動すると、Ｕ溝４ｆ，４ｇから脱出する。それに替わって凹状溝１７ｄにミラーボックス４の回動駆動ピン４ｅが係合する。
【００２９】
また、右端側の従動ピン１７ａの先端部にはトーションバネからなる付勢バネ２２が巻回装着されている。なお、該付勢バネ２２は、一端がミラーボックス４のバネ係止ピン４ｄに、他端がバネ係止ピン１７ｃにそれぞれ懸架されている。さらに、左右一対の従動ピン１７ａには、それぞれに引張りバネからなる付勢バネ２３の一端がそれぞれ懸架されており、該付勢バネ２３の他端は、それぞれミラー支持軸１９に懸架されている。
【００３０】
凹状溝１７ｄは、ミラー枠１５がアップ位置Ｐ２に向けて回動移動して、従動ピン１７ａ，１７ｂがＵ溝４ｆ，４ｇから脱出するときにミラーボックス４の回動駆動ピン４ｅと係合し、サブミラー枠１７がミラー枠１５に対して相対的に回動駆動される。
【００３１】
上述したようにミラー枠１５に支持されたサブミラー枠１７は、ミラー枠１５に対して従動ピン１７ａを介して付勢バネ２３によりミラー支持軸１９側に向けて付勢され、かつ、付勢バネ２２により反時計回り（ミラーボックス４の左側からみて）に付勢された状態でミラー反射面１６ａに沿った方向にスライド可能に、また、従動ピン１７ａの回りに回動可能に支持される。また、サブミラー枠１７は、ミラー枠１５がダウン位置Ｐ１、または、その近傍にあるとき、従動ピン１７ａ，１７ｂとミラーボックス４のＵ溝４ｆ，４ｇとによってレンズ光軸Ｏ１に対して所定の角度を保持した状態でスライド移動可能に支持されている。また、ミラー枠１５がアップ位置Ｐ２に向けて回動すると、サブミラー枠１７は、ミラーボックス４の回動駆動ピン４ｅと凹状溝１７ｄとによりミラー枠１５に対する折り畳み位置（退避位置）に回動移動する。
【００３２】
上述した構成を有するミラーユニット５のミラー枠１５，サブミラー枠１７の測距状態を含むファインダ観察状態と撮像素子露光状態との切り替え動作、および、ダウン位置Ｐ１におけるバウンド動作を含めて図５〜１０を用いて詳しく説明する。
【００３３】
図５〜９は、ミラー枠１５とサブミラー枠１７のアップ位置Ｐ２とダウン位置Ｐ１間の回動移動状態を示す模式図であって、そのうち、図５は、ミラー枠１５がアップ位置Ｐ２にある場合を示す。図６は、ミラー枠１５がダウン位置Ｐ１に到達した状態を示し、図７は、図６の状態の後、ミラー枠１５がバウントした状態を示し、図８は、上記バウンドが収束し、ミラー枠１５、サブミラー枠１７が静止した状態を示し、図９は、ミラー枠１５がアップ位置に向けて再び回動する状態を示す。図１０は、ミラー枠１５がダウン位置Ｐ１でバウントしたときのサブミラー枠１７の移動に伴うサブミラーの測距光軸の変動状態を示す模式図である。
【００３４】
ミラー枠１５が上方のアップ位置Ｐ２に位置した状態では、図５に示すように被写体光束の光路外に退避しており、撮影レンズ３ａを介して取り込まれた被写体光束は、開状態にあるシャッタユニット７を通過して撮像ユニット８の光電変換素子である撮像素子の光電変換面上に結像する。そして、上記撮像素子より出力される撮像信号が上記カメラ制御部により処理され、被写体像信号として出力される。
【００３５】
上記アップ位置Ｐ２の状態では、サブミラー枠１７は、ミラー枠１５とともに被写体光束の光路外に退避している。すなわち、サブミラー枠１７は、図５に示すようにミラーボックス４の回動駆動ピン４ｅによって凹状溝１７ｄを介して時計回りに回動駆動され、ミラー枠１５に対して折り畳まれ、上記被写体光束の光路から退避している。
【００３６】
続いて、ミラー枠１５がダウン位置Ｐ１に向けて回動駆動され、ストッパ４ａに当接（すなわち、衝突）すると、図６から図７に示すようにバウンドすることになるが、ミラー枠１５がダウン位置Ｐ１近傍に達したところで、サブミラー枠１７は、凹状溝１７ｄが回動駆動ピン４ｅから開放され、付勢バネ２２による反時計回りの付勢力が作用しているので反時計回りに回動しながら従動ピン１７ａ，１７ｂがＵ溝４ｆ，４ｇに嵌入し、係合する。その係合状態で上記各ピンがＵ溝４ｆ，４ｇ内をスライドしながら所定の傾斜角度を保ち、かつ、光軸Ｏ１方向に位置ずれしながら下方に移動する。ミラー枠１５がダウン位置Ｐ１にて上述のようにバウンドすると、サブミラー枠１７も従動ピン１７ａを介して僅かに上方に向けて駆動され、付勢バネ２３の付勢力を受けた状態で従動ピン１７ａがミラー枠１５のガイド溝１５ｂ内をスライドすると同時に上記各ピン１７ａ，１７ｂがＵ溝４ｆ，４ｇに沿ってレンズ光軸Ｏ１に対して同一の傾斜角を保持しながら、レンズ光軸Ｏ１方向にも移動する。
【００３７】
ミラー枠１５の上記バウンド状態が収まると、図８に示すようにミラー枠１５は、メインミラー１６の反射面１６ａがファインダ光軸Ｏ２を保ち、また、サブミラー枠１７は、サブミラー１８の反射面１８ａが測距光軸Ｏ３を正確に保った状態で停止する。一方、上述した図６から図７の状態を経て上記バウンドが収束する図８の状態までのバウンド過渡状態にあっては、上述したサブミラー枠１７のスライド移動動作によって後述するようにサブミラー１８による被写体光束反射光の光軸が上記測距光軸Ｏ３に極めて接近した状態を保ちながら移動する状態が得られる。
【００３８】
上述したバウンド過渡状態でのサブミラー枠１７の移動動作を図１０によって詳しく説明する。いま、ミラー枠１５がバウンドするとき、サブミラー枠１７の傾斜、および、光軸Ｏ１方向の位置も変化することなく移動したとすると、サブミラー１８の反射面１８ａ′にあり、ミラー枠１５がバウンドしたときのレンズ光軸Ｏ１のメインミラー透過光束のずれによって反射面１８ａ′による光軸Ｏ３′は、測距センサユニット６の受光レンズ６ａ上にあるバウンド収束状態での測距光軸Ｏ３からδだけずれる。また、サブミラー枠１７がミラー枠１５のバウンドとともに傾きが変化した場合もサブミラーの反射面による測距光軸は、その方向と位置が大きくずれる。上記いずれの場合もバウンドが完全に収まらない状態では測距を行うことができない。
【００３９】
しかし、本実施形態の場合、ミラー枠１５がバウンドするとき、図１０に示すようにサブミラー枠１７側のサブミラー１８の反射面１８ａ″は、例えば、メインミラー１６の反射面１６ａが１６ａ′に移動したとき、上述した所定の傾斜角度を保持した状態のままで光軸Ｏ１方向にも微少変位することから、反射面１８ａ″による光軸は、バウンド収束状態での測距光軸Ｏ３に極めて接近した位置が保たれる。なお、サブミラー枠１７は、上述する微少変位状態において、従動ピン１７ａが付勢バネ２３によってミラー支持軸１９側に付勢されており、従動ピン１７ａ，１７ｂが所定角度だけ傾斜したＵ溝４ｆ，４ｇによりそれぞれガイドされ、かつ、従動ピン１７ａがミラー枠１５のガイド溝１５ｂにガイドされた状態で平行移動する。
【００４０】
上記バウンド動作中にあってもサブミラー枠１７が上述のように変位することからミラー枠１５のバウンドによる振動が未だ残っているタイミングであっても精度のよい測距を開始し、実行することができる。
【００４１】
図８に示すバウンド収束の後、撮像素子への露光を開始するため、上記カメラ制御部のミラーアップ動作の指示によってミラー枠１５がアップ位置Ｐ２に向けて駆動が開始される。サブミラー枠１７は、支持ピン１７ａを介して上方に持ち上げられ、従動ピン１７ａ，１７ｂがＵ溝４ｆ，４ｇから抜け出す。同時に回動駆動ピン４ｅがサブミラー枠１７の凹状溝１７ｄに係合し、サブミラー枠１７が従動ピン１７ａ中心に時計回りに回動駆動される。ミラー枠１５が被写体光束の光路から退避したアップ位置Ｐ２に到達すると、前述した図５の状態に戻る。
【００４２】
上述したミラー枠１５のアップ位置Ｐ２からダウン位置Ｐ１への回動駆動時のバウンド状態と測距開始、終了のタイミングについて、ミラー枠１５のバウント状態に対する測距タイミングを示した図１１を用いて説明する。
【００４３】
ミラー枠１５に装着されるメインミラー１６がアップ位置Ｐ２での角度α２からダウン位置Ｐ１での角度α１に急速に変化したとき、ストッパ４ａに当接するタイミングｔａ以降、図１１に示すように角度α１の近傍位置にて数回のバウンドが発生する。しかし、本実施形態の一眼レフカメラ１においては、上述したようにメインミラー１６のバウンド状態が残っているタイミングｔｄでもサブミラー１８による被写体光束の反射光の光軸が収束状態における測距光軸Ｏ３に極めて接近しているので、上記タイミングｔｄにて測距を開始することができる。そして、所定の測距時間を経たタイミングｔｅにて合焦動作が終了する。前述した図１２に示した従来の一眼レフカメラにおける合焦完了のタイミングｔｃに比較して合焦完了までの時間が短縮される。
【００４４】
上述したように本実施形態の一眼レフカメラ１によれば、ミラー枠１５のダウン位置Ｐ１への回動駆動後の測距を開始させるタイミングを早めて素早く合焦動作を終了させることによって撮影レンズ３ａの合焦処理を素早く行うことが可能になり、露光タイミングの遅れが少なくすることで高速連写も可能になる。
【００４５】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００４６】
本発明によるカメラは、測距開始タイミングを早め、合焦完了までの時間を短縮可能なることが可能なクイックリターンミラー装置を有し、高速連写も可能なカメラとしての利用することができる。
【図面の簡単な説明】
【００４７】
【図１】本発明の一実施形態のカメラであるデジタル式一眼レフカメラの要部の構成を示す撮影レンズ光軸に沿った断面図である。
【図２】図１の一眼レフデジタルカメラのミラーボックス部を前方側からみた斜視図である。
【図３】図１の一眼レフカメラのミラーユニットの構成を示す斜視図であって、ミラーダウン状態を示す。
【図４】図３のミラーユニット要部の模式的側面図であって、ミラーダウン状態を示す。
【図５】図４のミラーユニットのミラー枠およびサブミラー枠のアップ位置とダウン位置間の回動移動状態を示す模式図のうち、ミラー枠がアップ位置にある場合を示す。
【図６】図４のミラーユニットのミラー枠およびサブミラー枠のアップ位置とダウン位置間の回動移動状態を示す模式図のうち、ミラー枠がダウン位置に到達した状態を示す。
【図７】図４のミラーユニットのミラー枠およびサブミラー枠のアップ位置とダウン位置間の回動移動状態を示す模式図のうち、図６の状態の後、ミラー枠がバウントした状態を示す。
【図８】図４のミラーユニットのミラー枠およびサブミラー枠のアップ位置とダウン位置間の回動移動状態を示す模式図のうち、上記バウンドが収束し、ミラー枠およびサブミラー枠が静止した状態を示す。
【図９】図４のミラーユニットのミラー枠およびサブミラー枠のアップ位置とダウン位置間の回動移動状態を示す模式図のうち、ミラー枠がアップ位置に向けて回動する状態を示す。
【図１０】図４のミラーユニットのミラー枠がダウン位置でバウントしたときのサブミラー枠の移動に伴うサブミラー光軸の変動状態を示す模式図である。
【図１１】図４のミラーユニットのミラー枠に装着されるメインミラーのバウンド状態と測距タイミングを示す模式図である。
【図１２】従来の一眼レフカメラにおけるメインミラーのバウンド状態に対する測距タミングを示す模式図である。
【符号の説明】
【００４８】
４ａ…ストッパ（停止位置規制手段）
４ｆ，４ｇ
…Ｕ溝（角度規制部材）
１５  …ミラー枠（メインミラー部）
１６  …メインミラー（クイックリターンミラー）
１７  …サブミラー枠（サブミラー部）
１７ａ  …従動ピン（回動軸）
１８  …サブミラー
Ｐ１…ダウン位置（第一の位置）
Ｐ２…アップ位置（第二の位置）
【図１】
2010169960.tif 000003
【図２】
2010169960.tif 000004
【図３】
2010169960.tif 000005
【図４】
2010169960.tif 000006
【図５】
2010169960.tif 000007
【図６】
2010169960.tif 000008
【図７】
2010169960.tif 000009
【図８】
2010169960.tif 000010
【図９】
2010169960.tif 000011
【図１０】
2010169960.tif 000012
【図１１】
2010169960.tif 000013
【図１２】
2010169960.tif 000014